(57)【要約】【課題】  外部機器から動作設定情報を設定することができる電動ベッドの動作制御装置を提供する。【解決手段】  動作制御装置１７ａには、ＭＰＵ２０ａ、半導体記憶素子２２ａ及びこのＭＰＵ２０ａに外部インターフェース２１を介して接続された外部機器１８が設けられている。ＭＰＵ２０ａは外部機器１８の接続確認を行い（ステップＳ１）、外部機器１８に対して動作設定情報の入力を要求し（ステップＳ２）、外部機器１８から動作設定情報のデータを受信する（ステップＳ３）。次いでＭＰＵ２０ａは受信した動作設定情報のデータをＭＰＵ２０ａ内のＲＡＭに格納し（ステップＳ４）、データをチェックする（ステップＳ５）。データチェックの結果、データが正常である場合は、受信したデータが動作設定に関するものであれば（ステップＳ６）、ＭＰＵ２０ａ内のＲＡＭへ格納したデータを書き込んで動作を終了する（ステップＳ８）。【選択図】図１
2006129953.tif 000002
【特許請求の範囲】
【請求項１】
フレームに取り付けられた背ボトム及び膝ボトムの少なくとも１つのボトムを傾動駆動するボトム駆動部材と、前記フレームを昇降駆動するフレーム駆動部材とを有する電動ベッドの動作制御装置において、前記ボトム駆動部材又はフレーム駆動部材を駆動してベッドのボトム又はフレームを動作させる信号を生成する操作入力装置と、前記ボトム又はフレームの動作設定に関する動作設定情報及びベッド利用者情報を記憶する記憶装置と、前記操作入力装置からの信号により前記記憶装置の動作設定情報をもとに前記ボトム駆動部材及び／又はフレーム駆動部材を制御する制御部と、外部機器を接続する外部インターフェースと、を有し、前記外部機器を前記外部インターフェースに接続して前記記憶装置の動作設定情報を入力又は修正することを特徴とする電動ベッドの動作制御装置。
【請求項２】
前記制御部、前記記憶装置及び前記外部インターフェースは、前記ベッドに取り付けられた制御ボックス内に設けられ、前記操作入力装置は、前記制御ボックスに接続されたスイッチボックス内に設けられていることを特徴とする請求項１に記載の電動ベッドの動作制御装置。
【請求項３】
前記制御部及び前記記憶装置は、前記ベッドに取り付けられた制御ボックス内に設けられ、前記操作入力装置及び前記外部インターフェースは、前記制御ボックスに接続されたスイッチボックス内に設けられていることを特徴とする請求項１に記載の電動ベッドの動作制御装置。
【請求項４】
前記制御部は、前記ベッドに取り付けられた制御ボックス内に設けられ、前記操作入力装置、前記記憶装置及び前記外部インターフェースは、前記制御ボックスに接続されたスイッチボックス内に設けられていることを特徴とする請求項１に記載の電動ベッドの動作制御装置。
【請求項５】
前記動作設定情報は、前記ボトム及び前記フレームの動作範囲、動作パターン、動作速度、設定位置及び動作禁止の１又は複数の情報であることを特徴とする請求項１乃至４のいずれか１項に記載の電動ベッドの動作制御装置。
【請求項６】
前記記憶装置は、操作動作履歴及びメンテナンス情報も記憶することを特徴とする請求項１乃至５のいずれか１項に記載の電動ベッドの動作制御装置。
【請求項７】
前記操作動作履歴は、前記ボトム駆動部材及びフレーム駆動部材の操作開始時点及び操作終了時点、ボトムの駆動開始時点及びボトムの駆動終了時点又はボトムの駆動時間、ボトムの上げ又は下げ動作の種類、フレームの駆動開始時点及び駆動終了時点又はフレームの駆動時間、フレームの上げ又は下げ動作の種類、前記操作入力装置における操作されたボタンの種類の１又は複数の情報であり、前記メンテナンス情報は、動作制御装置及び各駆動部材のシリアルナンバー、動作制御装置の通電時間、各駆動部材の動作時間、トラブル発生時の時間、エラーコード、トラブル発生箇所、トラブル発生時の操作状況、トラブル発生時の動作状況、トラブル発生時の動作制御装置の通電時間、各駆動部材の動作時間の１又は複数の情報であることを特徴とする請求項６に記載の電動ベッドの動作制御装置。
【請求項８】
前記動作パターンは前記操作入力装置に設けられた複数の動作スイッチを所望のパターンに従って操作することにより、この操作順序が記憶されて特定の１個の動作スイッチが操作されたときに前記操作順序に従った動作が行われるものであることを特徴とする請求項５に記載の電動ベッドの動作制御装置。
【請求項９】
前記記憶装置に記憶された前記操作動作履歴及びメンテナンス情報は、前記外部インターフェースに接続された外部機器により読み出すことができることを特徴とする請求項６又は７に記載の電動ベッドの動作制御装置。
【請求項１０】
前記外部機器により読み出された前記操作動作履歴及びメンテナンス情報は、前記外部機器又はこれに接続された表示装置に表示されることを特徴とする請求項９に記載の電動ベッドの動作制御装置。
【請求項１１】
前記外部機器により読み出された前記操作動作履歴は、前記外部機器又はこれに接続されたコンピュータにより分析及び加工され、グラフ表示、統計表示又はアニメーション表示されることを特徴とする請求項９又は１０に記載の電動ベッドの動作制御装置。
【請求項１２】
フレームに取り付けられた背ボトム及び膝ボトムの少なくとも１つのボトムを傾動駆動するボトム駆動部材と、前記フレームを昇降駆動するフレーム駆動部材とを有する電動ベッドの動作制御装置において、前記ボトム駆動部材又はフレーム駆動部材を駆動してベッドのボトム又はフレームを動作させる信号を生成する操作入力装置と、前記ボトムの動作設定に関する動作設定情報及びベッド利用者情報と操作動作履歴とメンテナンス情報を記憶する記憶装置と、前記操作入力装置からの信号により前記記憶装置の動作設定情報をもとに前記ボトム駆動部材及び／又はフレーム駆動部材を制御する制御部と、外部インターフェースと、を有する電動ベッドの前記外部インターフェースに接続され、前記記憶装置の動作設定情報を入力又は修正すると共に前記記憶装置に記憶された情報を分析及び加工する演算部と、この演算部により得られたデータをグラフ表示し、統計表示し、又はアニメーション表示する表示画面とを有することを特徴とする操作履歴情報表示装置。
【発明の詳細な説明】
【技術分野】
【０００１】
本発明は、医療用ベッド又は介護用ベッドの背昇降動作、膝昇降動作及びベッド全体の昇降動作を制御する電動ベッドの動作制御装置に関する。
【背景技術】
【０００２】
医療用又は介護用のベッドは、治療又は介護の必要上、又は高齢者若しくは障害者の自立度を維持又は向上させるために、患者の姿勢を変えたり、ベッド全体の高さを変えることができるようにするため、背ボトム及び膝ボトムの傾斜角度を変えたり、ベッドの床の高さを変更できるようになっている。また、動作角度制限又はメモリポジションを設定できるようになっている。このような従来技術として例えば特許第２８６５１６１号、特許第２８７４０３５号等が挙げられる。
【０００３】
【特許文献１】特許第２８６５１６１号
【特許文献２】特許第２８７４０３５号
【発明の開示】
【発明が解決しようとする課題】
【０００４】
医療用ベッド又は介護用ベッドの利用者の身体状況は多様であり、その状況に応じて看護士及び介護士が注意してベッドを操作している。例えば嚥下障害のある利用者に対しては電動ベッドの背ボトム角度をある一定角度以下、例えば３０度以下の範囲で使用するよう配慮したり、呼吸器障害のある利用者に対しては電動ベッドの背ボトム角度をある一定の角度以下、例えば４０度以下にすることを禁止したりしている。また、脚に怪我を負った利用者やリュウマチの利用者に対しては電動ベッドの膝ボトム上げ機能を使用しない等の制限を加えている。
【０００５】
しかしながら、上記従来技術においては、このようなベッド動作制限の設定はベッドの動作制御装置に対して例えば専門のオペレータが直接設定するものであり、外部機器を介して離れた場所から介護者等が動作設定することができないという問題点がある。
【０００６】
また、介護用ベッドを利用することによって一人だけで起き上がり又は立ちあがり等することができる自立できるベッド利用者においては、ベッド利用者自身が電動ベッドを操作することになるが、操作するたびに自分の体型に適合した適切な調整を行うことは困難であり、例えば立ち上がり時に端座位の姿勢をとるための電動ベッドの高さ調整などは、非常に手間がかかるという問題点がある。
【０００７】
更に、起き上がり時に身体がずれないように、例えば最初に膝ボトム上げを行い、次いで、背ボトム上げと膝ボトム上げを同時に行い、その後、背ボトム上げを行い、最後に高さ調整するといった一連の動作を操作する際、複数のボタンを続けて操作する必要があるが、これらの操作はベッド利用者ごとにパターン化しているにもかかわらず、単一のボタンで操作できるようにするには予めそのパターンを記憶しておく方法しかなく、あとからベッド利用者に合わせて設定を行うことができないという問題点がある。
【０００８】
また、動作設定用の操作入力装置を使用してベッドの動作設定を行った場合、どのベッド利用者にどのような動作内容を設定したのかを管理する必要があるが、看護士又はケアマネージャーをはじめとする介護者の負担が大きいという問題点があり、同様の身体状態にあるベッド利用者に対して同様の動作設定を行う場合、同じ設定を何度も繰り返す必要があり、動作設定操作が煩雑になるという問題点もある。
【０００９】
更に、専用の操作入力装置を用いて動作設定を行う際、電動ベッドの仕様変更及び新機種開発の都度、専用の操作入力装置が必要となり、開発負担が大きくなるという問題点もある。
【００１０】
本発明はかかる問題点に鑑みてなされたものであって、ベッドの動作設定をベッドに据付の制御装置のみならず、外部機器を通じて行うことができる電動ベッドの動作制御装置を提供することを目的とする。また本発明は、動作設定の容易な電動ベッド、例えば通常の操作の中で行われる決まった操作順序のパターンを記憶してそれを少ないボタン操作で実行することができる電動ベッドの動作制御装置を提供することを目的とする。
【００１１】
更に、本発明は、電動ベッドの動作情報の設定、確認及び電動ベッドの利用者情報及び故障等に関する情報を記憶できると共に、記憶した情報を表示する表示装置を設けること等により、ケアマネージャー等によるベッドの管理負担を軽減することができる電動ベッドの動作制御装置を提供することを目的とする。
【課題を解決するための手段】
【００１２】
本願第１発明に係る電動ベッドの動作制御装置は、フレームに取り付けられた背ボトム及び膝ボトムの少なくとも１つのボトムを傾動駆動するボトム駆動部材と、前記フレームを昇降駆動するフレーム駆動部材とを有する電動ベッドの動作制御装置において、前記ボトム駆動部材又はフレーム駆動部材を駆動してベッドのボトム又はフレームを動作させる信号を生成する操作入力装置と、前記ボトム又はフレームの動作設定に関する動作設定情報及びベッド利用者情報を記憶する記憶装置と、前記操作入力装置からの信号により前記記憶装置の動作設定情報をもとに前記ボトム駆動部材及び／又はフレーム駆動部材を制御する制御部と、外部機器を接続する外部インターフェースと、を有し、前記外部機器を前記外部インターフェースに接続して前記記憶装置の動作設定情報を入力又は修正することを特徴とする。
【００１３】
この場合において、前記制御部、前記記憶装置及び前記外部インターフェースは、前記ベッドに取り付けられた制御ボックス内に設けられ、前記操作入力装置は、前記制御ボックスに接続されたスイッチボックス内に設けられていることが好ましい。
【００１４】
また、この場合において、前記制御部及び前記記憶装置は、前記ベッドに取り付けられた制御ボックス内に設けられ、前記操作入力装置及び前記外部インターフェースを、前記制御ボックスに接続されたスイッチボックス内に設けることもできる。
【００１５】
更に、この場合において、前記制御部は、前記ベッドに取り付けられた制御ボックス内に設けられ、前記操作入力装置、前記記憶装置及び前記外部インターフェースを、前記制御ボックスに接続されたスイッチボックス内に設けてもよい。
【００１６】
この場合において、前記動作設定情報は、前記ボトム及び前記フレームの動作範囲、動作パターン、動作速度、設定位置及び動作禁止の１又は複数の情報であることが好ましい。
【００１７】
この場合において、前記記憶装置は、操作動作履歴及びメンテナンス情報も記憶することが好ましい。
【００１８】
この場合において、前記操作動作履歴は、前記ボトム駆動部材及びフレーム駆動部材の操作開始時点及び操作終了時点、ボトムの駆動開始時点及びボトムの駆動終了時点又はボトムの駆動時間、ボトムの上げ又は下げ動作の種類、フレームの駆動開始時点及び駆動終了時点又はフレームの駆動時間、フレームの上げ又は下げ動作の種類、前記操作入力装置における操作されたボタンの種類の１又は複数の情報であり、前記メンテナンス情報は、動作制御装置及び各駆動部材のシリアルナンバー、動作制御装置の通電時間、各駆動部材の動作時間、トラブル発生時の時間、エラーコード、トラブルの発生箇所、トラブル発生時の操作状況、トラブル発生時の動作状況、トラブル発生時の通電時間又は動作時間の１又は複数の情報であることが好ましい。
【００１９】
また、この場合において、前記動作パターンは前記操作入力装置に設けられた複数の動作スイッチを所望のパターンに従って操作することにより、この操作順序が記憶されて特定の１個の動作スイッチが操作されたときに前記操作順序に従った動作が行われるものであることが好ましい。
【００２０】
この場合において、前記記憶装置に記憶された前記操作動作履歴及びメンテナンス情報は、前記外部インターフェースに接続された外部機器により読み出すことができるようにすることが好ましい。
【００２１】
また、この場合に、前記外部機器により読み出された前記操作動作履歴及びメンテナンス情報は、前記外部機器又はこれに接続された表示装置に表示されるものとすることが好ましい。
【００２２】
更に、この場合に、前記外部機器により読み出された前記操作動作履歴は、前記外部機器又はこれに接続されたコンピュータにより分析及び加工され、グラフ表示、統計表示又はアニメーション表示されることが好ましい。
【００２３】
本願の第２発明に係る電動ベッドの操作履歴情報表示装置は、フレームに取り付けられた背ボトム及び膝ボトムの少なくとも１つのボトムを傾動駆動するボトム駆動部材と、前記フレームを昇降駆動するフレーム駆動部材とを有する電動ベッドの動作制御装置において、前記ボトム駆動部材又はフレーム駆動部材を駆動してベッドのボトム又はフレームを動作させる信号を生成する操作入力装置と、前記ボトムの動作設定に関する動作設定情報及びベッド利用者情報と操作動作履歴とメンテナンス情報を記憶する記憶装置と、前記操作入力装置からの信号により前記記憶装置の動作設定情報をもとに前記ボトム駆動部材及び／又はフレーム駆動部材を制御する制御部と、外部インターフェースと、を有する電動ベッドの前記外部インターフェースに接続され、前記記憶装置の動作設定情報を入力又は修正すると共に前記記憶装置に記憶された情報を分析及び加工する演算部と、この演算部により得られたデータをグラフ表示し、統計表示し、又はアニメーション表示する表示画面とを有することを特徴とする。
【発明の効果】
【００２４】
本願第１発明に係る電動ベッドの動作制御装置によれば、外部機器を接続する外部インターフェースを有するので、外部インターフェースを介して外部機器を接続し、外部から動作設定情報を入力又は修正することができるので、介護者又はケアマネージャーはベッド利用者の意に反してもボトム又はフレームの動作範囲、動作禁止情報をはじめとする動作設定情報を設定して、例えば被介護者の状況に応じた介護を行うことができる。
【００２５】
本願の請求項２に係る電動ベッドの動作制御装置によれば、前記制御部、記憶装置及び外部インターフェースは、前記ベッドに取り付けられた制御ボックス内に設けられ、前記操作入力装置は、前記制御ボックスに接続されたスイッチボックス内に設けるので、電動ベッドの操作性が向上し、ベッド利用者又は介護者は容易にベッドを操作することができる。
【００２６】
本願の請求項３に係る電動ベッドの動作制御装置によれば、前記制御部及び記憶装置は、前記ベッドに取り付けられた制御ボックス内に設けられ、前記操作入力装置及び外部インターフェースは、前記制御ボックスに接続されたスイッチボックス内に設けるので、接続部分がスイッチボックスと同様に手の届きやすい位置に配置されることになり、外部機器を接続する際の作業性が向上する。
【００２７】
本願の請求項４に係る電動ベッドの動作制御装置によれば、前記制御部は、前記ベッドに取り付けられた制御ボックス内に設けられ、前記操作入力装置、記憶装置及び外部インターフェースは、前記制御ボックスに接続されたスイッチボックス内に設けるので、外部機器から動作設定情報を設定する機能並びに操作動作履歴情報、メンテナンス情報及び動作設定情報を記憶する機能を有しない電動ベッドに対し、前記スイッチボックスの付け替えのみで、容易にこれらの機構を付加することができるので、カスタマイズ性が向上する。
【００２８】
本願の請求項５に係る電動ベッドの動作制御装置によれば、前記動作設定情報を、前記ボトム及び前記フレームの動作範囲、動作パターン、動作速度、設定位置及び動作禁止の１又は複数の情報とするので、電動ベッドの動作設定が容易となり、被介護者の状況に応じてベッドを適切に動作させ、又は動作を制限することができる。
【００２９】
本願の請求項６に係る電動ベッドの動作制御装置によれば、前記記憶装置を、操作動作履歴及びメンテナンス情報も記憶するものとするので、上記動作設定時に電動ベッドの機種を判別することが可能になるとともに、トラブルが発生した場合の原因の究明及び電動ベッドの動作管理に役立てることができる。
【００３０】
本願の請求項７に係る電動ベッドの動作制御装置によれば、前記操作動作履歴を、前記ボトム駆動部材及びフレーム駆動部材の操作開始時点及び操作終了時点、ボトムの駆動開始時点及びボトムの駆動終了時点又はボトムの駆動時間、ボトムの上げ又は下げ動作の種類、フレームの駆動開始時点及び駆動終了時点又はフレームの駆動時間、フレームの上げ又は下げ動作の種類、前記操作入力装置における操作されたボタンの種類の１又は複数の情報とし、メンテナンス情報は、動作制御装置及び各駆動部材のシリアルナンバー、動作制御装置の通電時間、各駆動部材の動作時間に加え、トラブル発生時の時間、エラーコード、発生箇所、トラブル発生時の操作状況、トラブル発生時の動作状況、トラブル発生時の通電時間又は動作時間の１又は複数の情報とするので、操作動作履歴及びメンテナンス情報をより詳細に記憶することができ、ベッド管理が容易となる。
【００３１】
本願の請求項８に係る電動ベッドの動作制御装置によれば、前記動作パターンは前記操作入力装置に設けられた複数の動作スイッチを所望のパターンに従って操作することにより、この操作順序が記憶されて特定の１個の動作スイッチが操作されたときに前記操作順序に従った動作が行われるものとするので、操作に手間がかからず、操作性が著しく向上する。
【００３２】
本願の請求項９に係る電動ベッドの動作制御装置によれば、前記記憶装置に記憶された前記操作動作履歴及びメンテナンス情報を、前記外部インターフェースに接続された外部機器により読み出すことができるようにするので、必要な情報を外部機器を介して確認することができるので、介護者又はケアプランナーはトラブルが生じた場合の直前の動作内容（操作内容）又は患者がどのようなベッド操作を行ったかの動作履歴を必要に応じて容易に確認することができる。また、ケアプラン及び前記動作設定の適否の判断も容易となる。また、メンテナンス情報から電動ベッドの機種を判別することができ、膝ボトムが動作しない電動ベッドに対して動作設定を行ってしまう等の失敗の軽減に役立てることができる。
【００３３】
本願の請求項１０に係る電動ベッドの動作制御装置によれば、前記外部機器により読み出された前記操作動作履歴及びメンテナンス情報を、前記外部機器又はこれに接続された表示装置に表示するようにするので、前記操作動作履歴及びメンテナンス情報をより速やかに把握することができるようになり、介護者等によるベッド管理も容易となる。
【００３４】
本願の請求項１１に係る電動ベッドの動作制御装置によれば、前記外部機器により読み出された前記操作動作履歴を、前記外部機器又はこれに接続されたコンピュータにより分析及び加工し、グラフ表示、統計表示又はアニメーション表示するようにするので、介護者又はケアプランナーは記憶装置に記憶された必要な情報を例えばイメージとして捕らえることができ、その内容の把握がより容易となる。
【００３５】
本願の第２発明に係る操作履歴情報表示装置によれば、電動ベッドにおける記憶装置に記憶された情報を分析、加工してグラフ表示、統計表示又はアニメーション表示として表示画面に表示することができるので、介護者、ケアプランナー等が操作動作履歴情報を例えばイメージとして捕らえることができ、内容の把握、管理及び活用がより容易となる。また、トラブルが発生した場合の原因の解析等も容易となる。
【発明を実施するための最良の形態】
【００３６】
以下、本発明の実施の形態について添付の図面を参照して具体的に説明する。本発明の動作制御装置が適用される電動ベッドは、フレームに、患者の上半身に相当する部分がのる背ボトム、腰に相当する部分がのる腰ボトム、大腿部に相当する部分がのる膝ボトム、脛に相当する部分がのる足ボトム等が設けられ、これらの背ボトム、腰ボトム、膝ボトム、足ボトム上に、マットレスが設置されている。各ボトムのうち、背ボトム、膝ボトム及び足ボトムは、そのフレームに対する角度を変更可能にフレームに設けられており、背ボトム及び膝ボトムはアクチュエータにより回動駆動される。通常、足ボトムは、膝ボトムの回動に連動して回動する。腰ボトムは通常フレームに固定されている。フレームはリンク機構により昇降するようになっており、このフレームの昇降もアクチュエータにより駆動される。なお、電動ベッドは、上記構造に限らず、種々のものがある。例えば、背ボトムのみ上げ及び下げ駆動されるようになっているものもある。この場合は、以下の説明において、膝ボトムの駆動部は存在しない。
【００３７】
図１は、本発明の第１実施形態における操作入力装置１６ａ、動作制御装置１７ａ及び外部機器１８の接続関係を示す模式図である。図１において、操作入力装置１６ａは図示省略したスイッチボックス内に設けられており、動作制御装置１７ａは図示省略したベッドに取り付けられた制御ボックス内に設けられている。操作入力装置１６ａと動作制御装置１７ａには夫々ＭＰＵ（中央演算装置）１９ａ及び２０ａが設けられている。動作制御装置１７ａの電源５から操作入力装置１６ａのＭＰＵ１９ａに必要な電源が供給される。操作入力装置１６ａのＭＰＵ１９ａと動作制御装置１７ａのＭＰＵ２０ａとは夫々シリアルＩ/Ｏを介して接続されている。動作制御装置１７ａのＭＰＵ２０ａにはシリアルＩ/Ｏ及び外部インターフェース２１を介して外部機器１８として例えばパーソナルコンピュタ、ＰＤＡ等が接続されている。また動作制御装置１７ａには不揮発性半導体記憶素子（ＥＥＰＲＯＭ）２２ａが設けられている。
【００３８】
図２は、図１の動作制御装置１７ａのブロック図である。図２において、動作制御装置１７ａの駆動部１２は背ボトムの背上げ及び背ボトム下げ動作用の駆動部であり、膝ボトム用の駆動部も同様の構成を有するが、図２には図示していない。駆動部１３はフレームの昇降駆動用のものである。ＭＰＵ（中央演算装置）としての制御部２０ａに、操作入力装置１６ａと、外部インターフェース２１が接続されるシリアル／パラレル信号入出力端子２と、不揮発性半導体記憶素子（ＥＥＰＲＯＭ）２２ａとが接続されている。電源５からは操作入力装置１６ａ、ＭＰＵ２０ａ及びチョッパ部６、７に給電されている。チョッパ部６、７は電源５からの電流をパルス電流に変換し、ＭＰＵ２０ａからの制御信号により所定期間、このパルス電流を出力する。チョッパ部６、７からの出力電流は、電流検出部８、９により検出される。この電流検出部８、９により検出された電流は、リレー部１０、１１に入力される。ＭＰＵ２０ａはリレー部１０、１１にアクチュエータのモータの回転方向を指示する信号を出力し、電流検出部８、９から出力された電流値に対応する回転数の信号を駆動部１２、１３に出力する。駆動部１２、１３は、駆動部のアクチュエータのモータをＭＰＵ２０ａから指示された方向に、ＭＰＵ２０ａから指示された回転数だけ、回転させる。
【００３９】
これにより、駆動部１２は、そのアクチュエータのピストンロッドが所定長進出し、又は退入し、背ボトムが傾動する。膝ボトムも同様に、ＭＰＵ２０ａからの指示により、所定のパターンで膝上げ動作及び膝下げ動作をする。
【００４０】
また、駆動部１３は、そのアクチュエータのピストンロッドが所定長進出し、又は退入し、フレームの高さを、ＭＰＵ２０ａから指示された長さだけ、高くし、又は低くする。位置センサ１４はアクチュエータのピストンロッドの移動量に伴う摺動抵抗の変化により、このピストンロッドの位置を検出し、このピストンロッドの位置により、背ボトム及び膝ボトムの傾斜角度を検出する。この検出結果は、ＭＰＵ２０ａに入力され、ＭＰＵ２０ａにおいて、駆動部１２、１３の駆動量のフィードバック制御に使用される。
【００４１】
次に、動作設定情報書き込み時の動作制御装置１７ａ内のＭＰＵ２０ａの動作について図３の処理フロー図に基づいて説明する。動作設定情報とは、前記ボトム及び前記フレームの動作範囲、動作パターン、動作速度、設定位置及び動作禁止の１又は複数の情報である。
【００４２】
動作範囲とは、前記操作入力装置により前記ボトム及び前記フレームを動作させる範囲を制限する機能であり、夫々の可動部位について上限値、下限値のいずれか又は両方を設定するものである。例えば、背ボトムが０゜から８０゜まで動作する電動ベッドにおいて、動作範囲の上限値が４０゜、下限値が１０゜と設定された場合、前記操作入力装置による背ボトムの操作は１０゜から４０゜に制限される。但し、動作範囲で設定された通りに操作を限定する使用方法に加え、動作範囲の上限値、下限値に到達したところで一旦停止させ、その後、再度ボタンを操作することで電動ベッドの最大動作範囲まで動作するものとしても良い。例えば、背ボトムの上限値が４０゜と設定された場合、前記操作入力装置により背ボトムを上げると４０゜で一旦停止するが、再度、操作することで背ボトムの最大動作範囲である８０゜まで動作させることができるといった使用方法である。
【００４３】
動作パターンとは、一つ又は複数の続いた操作に関する情報であり、前記操作入力装置のボタンの種類、操作時間、前記ボトム又は前記フレームの上げ下げの種類、前記ボトム又は前記フレームの駆動開始時点及び駆動終了時点の１又は複数の情報から構成される。前記操作入力装置のボタン操作は、一つのボタン操作又は複数のボタン同時操作からなる。前記操作入力装置に動作パターン用のボタンを設け、そのボタンを操作することで設定された内容の動作を実行することができる。例えば、背ボトムを０゜から３０゜まで上げ、その後、背ボトムを３０゜から６０゜、ベッド高さを３０ｃｍから５０ｃｍまで同時に上げるという動作パターンを設定した場合、操作入力装置に設けた動作パターン操作用のボタンを押しつづけることで設定された一連の動作パターンの操作を行うことができる。
【００４４】
動作速度とは、前記操作入力装置により前記ボトム及びフレームを操作する際の前記ボトム又は前記フレームの動作する速度を設定するものである。例えば、背ボトムの通常速度として２゜／秒を３゜／秒に設定するなどである。
【００４５】
設定位置とは、前記ボトム又は前記フレームの夫々の位置を設定するものであり、前記操作入力位置に設定位置操作ボタンを設けて、そのボタンを操作することで設定された位置まで各部位を動作させることができる。例えば、設定位置が背ボトム４０゜、膝ボトム２０゜、ベッド高さ３０ｃｍと設定された場合、操作入力装置に設けられた設定位置操作ボタンを操作することで一つのボタンを押し続けるのみで一つ又は複数の部位を設定された位置まで操作することができる。
【００４６】
動作禁止とは、前記ボトム又は前記フレームの一つ又は複数について電気操作入力装置による操作を禁止するものである。例えば、背ボトムが動作禁止に設定された場合、前記操作入力装置では背ボトムを操作することができなくなる。
【００４７】
ＭＰＵ２０ａは、動作制御装置の電源投入後に、半導体記憶素子２２ａに書き込まれている動作設定情報をＭＰＵ２０ａ内のＲＡＭに格納し、その動作設定内容に基づいて各駆動部材の動作を制御する。
【００４８】
図３は、図１の動作制御装置１７ａ内のＭＰＵ２０ａの処理フローを示す図である。図３において、ＭＰＵ２０ａは先ず外部インターフェース２１によって接続された外部機器１８の接続確認を行い（ステップＳ１）、外部機器１８に対して動作設定情報の入力を要求し（ステップＳ２）、外部機器１８から動作設定情報のデータを受信する（ステップＳ３）。次いでＭＰＵ２０ａは受信した動作設定情報のデータをＭＰＵ２０ａ内のＲＡＭに格納した後（ステップＳ４）、データをチェックする（ステップＳ５）。データチェックの結果、データが正常である場合は、受信したデータが動作設定に関するものであれば（ステップＳ６）、ＭＰＵ２０ａ内のＲＡＭへ格納したデータを書き込んで（ステップＳ８）動作を終了する。一方、受信したデータが動作設定のリセットに関するものであれば、半導体記憶素子２２ａを初期状態へセットして（ステップＳ７）動作を終了する。また、データチェックの結果（ステップＳ５）、データが正常でなかった場合はエラーとし、ステップＳ２まで戻り、その後、同様の動作を一定回数繰り返す。
【００４９】
ＭＰＵ２０ａは、また外部インターフェース２１を介して入力された出力要求信号に基づいて外部インターフェース２１を介して外部機器１８に対して半導体記憶素子２２ａに記憶されたデータを出力する。
【００５０】
半導体記憶素子２２ａは、動作設定情報及びベッド利用者情報の他、操作動作履歴情報、メンテナンス情報等を記憶するもであり、制御部としてのＭＰＵ２０ａは、これらの情報を外部機器からの要求信号に応じて外部インターフェース２１を介して外部機器１８に出力する。操作動作履歴とは、ボトム駆動部材及びフレーム駆動部材の操作開始時点及び操作終了時点、ボトムの駆動開始時点及びボトムの駆動終了時点又はボトムの駆動時間、ボトムの上げ又は下げ動作の種類、フレームの駆動開始時点及び駆動終了時点又はフレームの駆動時間、フレームの上げ又は下げ動作の種類、前記操作入力装置における操作されたボタンの種類等の操作履歴をいう。メンテナンス情報とは、動作制御装置及び各駆動部材のシリアルナンバー、動作制御装置の通電時間、各駆動部材の動作時間に加え、トラブル発生時の時間、エラーコード、発生箇所、トラブル発生時の操作状況、トラブル発生時の動作状況、トラブル発生時の通電時間又は動作時間等の情報をいう。
【００５１】
以下、上述の如く構成された本実施形態に係る電動ベッドの動作制御装置の動作を説明する。患者又は介護者が、操作入力装置１６ａにより、背ボトム及び膝ボトムを傾斜する方向又はその逆の水平に戻る方向に傾動させる動作をし、又はフレームを昇降駆動した場合には、その信号が操作入力装置１６ａから動作制御装置１７ａ内ＭＰＵ２０ａに入力され、ＭＰＵ２０ａは、チョッパ部６、７及びリレー部１０、１１に制御信号を出力して、駆動部１２、１３を所定方向に所定時間駆動して、背上げ、背下げ、膝上げ、膝下げ、フレーム上げ又はフレーム下げ動作を行う。
【００５２】
このとき、ＭＰＵ２０ａは、ボトム駆動装置及びフレーム駆動装置の操作開始時点及び操作終了時点と、ボトムの駆動開始時点、ボトムの駆動終了時点又はボトムの駆動時間及びボトムの上げ又は下げ動作の種類と、フレーム動作の駆動開始時点、駆動終了時点及びフレーム動作の上げ又は下げ動作の種類とを、半導体記憶素子２２ａに入力して記憶させる。
【００５３】
この場合に、ＭＰＵ２０ａは、操作入力装置１６ａから入力される信号の入力時点、即ち、ボトム駆動装置である駆動部１２への操作開始信号の入力時点及び操作終了信号の入力時点と、ボトムの駆動開始信号の入力時点、ボトムの駆動終了信号の入力時点又はボトムの駆動時間、及びこの駆動信号がボトムの上げを要求しているのか又は下げを要求しているのかの情報と、フレーム駆動装置である駆動部１３への操作開始信号の入力時点、操作終了信号の入力時点、及びこの駆動信号がフレームの上げを要求しているのか又は下げを要求しているのかの情報とに関する信号を、半導体記憶素子２２ａに出力し、これらの情報を半導体記憶素子２２ａに記憶させる。この場合に、背ボトムと膝ボトムの双方について、そのボトムの駆動信号である情報を記憶素子２２ａに記憶させる。半導体記憶素子２２ａは最新のデータから遡ってその容量分又はそれ以下の所定容量のデータを記憶部に保存格納する。
【００５４】
本実施形態によれば、外部機器１８から外部インターフェース２１を介して動作設定情報を入力し、設定することができるので、介護者又はケアマネージャーがベッド利用者の意に反しても電動ベッドにおける背ボトム、膝ボトム又はフレームの動作範囲、動作禁止情報等の動作設定情報を設定してベッド利用者の状況に応じた介護をすることができる。
【００５５】
また、本実施形態によれば、従来、ベッド利用者に口頭で注意して動作範囲を限定していたのを、介護者がベッドの動作を外部から所定範囲に設定することができるので、ベッドの動作範囲の限定を徹底することができる。また最初はベッドの操作範囲を大きくしておき、その後段階的に小さくすることによってリハビリにも応用することができる。
【００５６】
また、本実施形態によれば、トラブルが発生した場合には、外部機器１８からの要求信号により、ＭＰＵ２０ａは、半導体記憶素子２２ａに記憶されている操作履歴情報等のデータを外部機器１８に出力するので、このデータをもとに、トラブルの原因を解析することができる。
【００５７】
また、ケアマネージャー等は、トラブルが生じてはいないが、電動ベッドの動作履歴を知る必要が生じた場合には、同様に外部機器１８から要求信号を入力し、データを受け取って、分析に供する。これにより、ケアマネージャーは、利用者（患者又は介護者）がいつどのようにベッドを利用したかを知ることができ、自ら作成したケアプラン及び動作設定の内容が適正なものか否かを検証することができる。
【００５８】
更に、本実施形態によれば、外部機器を常時接続する必要がなく、介護者、看護者による設定後に第３者によって不意に設定し直されることがない。また各ベッド利用者の設定内容を容易に管理することができるとともに、設定内容を取り出して他のベッドに移すことにより、同様の設定内容を繰り返して他のベッドに利用することが容易となる。
【００５９】
次に、本発明の第２実施形態について説明する。図４は、本発明の第２実施形態に係る電動ベッドの動作制御装置における各機器の接続状況を示す模式図である。図４において、本実施形態装置が図１の第１実施形態装置と異なるところは、外部機器１８を接続する外部インターフェース２１を操作入力装置１６に設けた点であり、外部インターフェース２１及びこの外部インターフェース２１に接続された外部機器１８はシリアルＩ/Ｏを介して操作入力装置１６ｂのＭＰＵ１９ｂに接続されている。なお、図４において、操作入力装置１６ｂは図示省略したスイッチボックス内に設けられており、動作制御装置１７ｂは図示省略したベッドに取り付けられた制御ボックス内に設けられている。
【００６０】
本実施形態における動作制御装置１７ｂは、第１実施形態における動作制御装置１７ａにおけるシリアル/パラレル信号入出力端子２及び外部インターフェース２１を除いたものであり、それ以外の部分は同様の構成であり、同様に作用するので、説明を省略する。
【００６１】
本実施形態における操作入力装置１６ｂ内のＭＰＵ１９ｂの動作及び動作制御装置１７ｂ内のＭＰＵ２０ｂの動作を図５に基づいて説明する。図５は、本実施形態における操作入力装置１６ｂ内のＭＰＵ１９ｂの動作及び動作制御装置１７ｂ内のＭＰＵ２０ｂの動作を示す動作フロー図である。図５において、ＭＰＵ１９ｂは先ず外部機器１８の接続確認を行い（ステップＳ１１）、外部機器１８に対して動作設定情報の入力を要求し（ステップＳ１２）、外部機器１８から動作設定情報のデータを受信する（ステップＳ１３）。次いでＭＰＵ１９ｂは受信した動作設定情報のデータをＭＰＵ１９ｂ内のＲＡＭに格納した後（ステップＳ１４）、データをチェックする（ステップＳ１５）。データチェックの結果、データが正常である場合は、データを動作制御装置１７ｂのＭＰＵ２０ｂに送信する（ステップＳ１６）。
【００６２】
動作制御装置１７ｂのＭＰＵ２０ｂは、操作入力装置１６ｂのＭＰＵ１９ｂからのデータを受信した後（ステップＳ１７）、データをＭＰＵ２０ｂのＲＡＭに格納した後（ステップＳ１８）、データを確認し（ステップＳ１９）、確認した結果、データが正常であるときは受信したデータ内容を確認し（ステップ２１）、動作設定に関するものであればＭＰＵ２０ｂ内のＲＡＭへ格納したデータを書き込んで（ステップＳ２２）、動作を終了する。一方、受信したデータがリセットに関するものであれば、半導体記憶素子２２ｂを初期状態へセットして（ステップＳ２３）動作を終了する。また、データ確認の結果（ステップＳ１９）、データが正常でなかった場合はエラーとし、外部機器１８に対してデータの再送信を要求し（ステップＳ２０）、その後ステップ１６まで戻り、同様の動作を一定回数繰り返す。
【００６３】
このようにして設定された動作設定情報の下、本実施形態の電動ベッドの動作制御装置は操作入力装置１６ｂからの入力信号に基づいて第１実施形態に準じて同様に動作する。
【００６４】
本実施形態によれば、外部機器１８を接続する外部インターフェース２１を操作入力装置である操作入力装置１６ｂに設けたので、外部インターフェース２１がスイッチボックスと同様に手の届きやすい位置に配置されることになり、外部機器を接続する際の作業性が向上する。また、外部機器との接続の際にベッドの下に潜り込む必要がないので、安全性が向上する。
【００６５】
次に、本発明の第３実施形態について説明する。図６は、本発明の第３実施形態に係る電動ベッドの動作制御装置の各機器の接続状況を示す模式図である。図６において、本実施形態装置が図４の第２実施形態と異なるところは、半導体記憶素子２２ｃを操作入力装置１６ｃ内に設けた点である。なお、図６において、操作入力装置１６ｃは図示省略したスイッチボックス内に設けられており、動作制御装置１７ｃは図示省略したベッドに取り付けられた制御ボックス内に設けられている。
【００６６】
また、図７は本実施形態における操作入力装置１６ｃを示す説明図である。図７において、この操作入力装置１６ｃは前面の上部に、情報表示画面３０が設けられている。情報表示画面３０の下方には、背ボトム上げボタン３１及び背ボトム下げボタン３２と、ベッド高さ上げボタン３３及びベッド高さ下げボタン３４と、メモリ上げボタン３５及びメモリ下げボタン３６と、表示切替ボタン３７及びメモリボタン３８が設けられている。
【００６７】
以下、操作入力装置１６ｃの各ボタンの機能を説明する。図８は、操作入力装置１６ｃの各ボタンの機能を示す説明図である。図８において、操作入力装置１６ｃが標準状態の場合、背ボトム上げボタン３１は背ボトム上げ動作を行い、背ボトム下げボタン３２は背ボトム下げ操作を行う。ベッド高さ上げボタン３３はベッド高さ上げ操作を行い、ベッド高さ下げボタン３４はベッド高さ下げ操作を行う。また、メモリ上げボタン３５はメモリ設定上げ動作を行い、メモリ下げボタン３６はメモリ設定下げ動作を行う。
【００６８】
操作入力装置１６ｃが標準状態の場合において表示切替ボタン３７を例えば３秒間長押しすると（ステップＳ３７）、操作入力装置１６ｃの表示画面は履歴情報表示モードに移行し、例えば操作入力装置１６ｃに設けられた表示画面に操作履歴情報を表示する。操作履歴表示モードで、背ボトム下げボタン３２を押すと操作履歴をスクロールし、１つ古い情報を要求して操作履歴表示画面に表示する（ステップＳ３９）。一方、背ボトム上げボタン３１を押すと操作履歴をスクロールし、１つ新しい情報を要求して操作表示画面に表示する（ステップＳ４０）。
【００６９】
操作履歴表示モードで表示切替ボタン３７を押すと（ステップＳ４１）、エラー履歴表示画面に移行し、このエラー履歴表示画面で、背ボトム下げボタン３２を押すとエラー履歴をスクロールし、１つ古い情報を要求して操作履歴表示画面に表示する（ステップＳ４２）。一方、背ボトム上げボタン３１を押すとエラー履歴をスクロールし、１つ新しい情報を要求してエラー履歴表示画面に表示する（ステップＳ４３）。
【００７０】
エラー履歴表示画面で表示切替ボタン３７を押すと（ステップＳ４４）、通電時間・動作時間表示画面に移行し、通電時間・動作時間を表示する（ステップＳ４５）。この通電時間・動作時間表示画面で表示切替ボタン３７を押すと（ステップＳ４６）、操作履歴表示画面に戻る。
【００７１】
履歴情報表示モード中において、表示切替ボタン３７を長押し（約３秒）するか（ステップＳ４７）又は３０秒間操作がない場合は（ステップＳ４８）、標準状態に戻る。
【００７２】
標準状態において、メモリボタン３８を例えば３秒長押しすると（ステップＳ４９）、操作入力装置１６ｃは背ボトムが最低角度の０度及びベッドの床高（以下、ベッド高さという）が最低の２５ｃｍであることを確認し（ステップＳ５０）、メモリ設定モードに移行する。背ボトムが０度及びベッドの床高が２５ｃｍでない場合は背ボトム下げボタン３２、ベッド高さ上げボタン３３又はベッド高さ下げボタン３４を操作して背ボトム角度を０度及びベッドの高さを２５ｃｍとする（ステッＳ５１）。背ボトム角度が０度及びベッドの高さが２５ｃｍの場合、メモリ上げ動作記憶状態に移行する（ステップＳ５２）。
【００７３】
メモリ上げ動作記憶状態において背ボトム上げボタン３１を押して背ボトム角度を例えば２０度に設定する（ステップＳ５３）。このときベッド高さは２５ｃｍである。次に、背ボトム上げボタン３１を押して（ステップＳ５４）背ボトム角度を４０度に設定する。
【００７４】
この状態で、背ボトム上げボタン３１とベッド高さ上げボタン３３を同時に押して（ステップ５５、ステップＳ５６）背ボトム角度を６０度、ベッド高さを４５ｃｍに設定する。
【００７５】
この状態で、メモリボタン３８を単押しすると（ステップＳ５７）ステップＳ５３乃至ステップＳ５６までの一連のメモリ上げ動作が記憶装置２２ｃに記憶され、以降、例えばメモリボタン３８を１回押すだけで、上記一連のメモリ上げ動作が行われる。なお、このとき、メモリボタン３８を単押ししたこと（ステップＳ５７）によって、メモリ下げ動作記憶状態に以降する（ステップＳ５８）。
【００７６】
メモリ下げ動作記憶状態で背ボトム下げボタン３２及びベッド高さ下げボタン３４を同時に押して（ステップＳ５９、ステップＳ６０）背ボトム角度を４０度、ベッド高さを２５ｃｍに設定する。次いで、背ボトム下げボタン３２を押して（ステップＳ６１）背ボトム角度を０度に設定する。このとき、ベッド高さは２５ｃｍのままである。この状態で、メモリボタン３８を単押しすると（ステップＳ６２）ステップＳ５９乃至ステップＳ６１までの一連のメモリ下げ動作が記憶装置２２ｃに記憶され、以降、例えばメモリボタン３８を１回押すだけで、上記一連のメモリ下げ動作が行われる。このとき、メモリボタン３８を単押ししたことによって操作入力装置１６ｃは標準状態に戻る。
【００７７】
メモリ設定モード中にメモリボタン３８を約３秒長押しするか（ステップＳ６３）、又は３０秒間操作が行われないとき（ステップＳ６４）は操作入力装置１６ｃはメモリ設定モードに入ってからの記憶情報を破棄し、標準状態（ベッド操作モード）に移行する。
【００７８】
次に、図１０乃至図１２に基づいて本実施形態における操作入力装置１６ｃに設けられた表示画面の動作を説明する。図１０乃至図１２は、夫々本実施形態における操作入力装置１６ｃに設けられた表示画面に表示される操作履歴表示画面、エラー履歴表示画面及び通電時間／動作時間表示画面の１例を示す図であり、各表示画面の切り替えは表示切り替えボタン３７を押すことによって行う。
【００７９】
図１０は操作履歴表示画面を示す説明図である。図１０において、表示回数/全記憶回数として３/１２０と表示され、この表示が１２０回の記憶情報中の第３番目の記憶内容であることを表示している。また操作時間として２００４／０９／２１  １０：３０と表示されており、この操作が２００４年の９月２１日の１０：３０に操作されたものであることを表示している。操作ボタンとして、背ボトム上と表示され、操作が背ボトム部分を上昇させる操作であることを表示している。更にベッド姿勢として背ボトム７５°、膝ボトム１０°、高さ３０ｃｍと夫々表示されていおり、操作後のベッド姿勢が表示されている。
【００８０】
また、図１１は、エラー履歴表示画面を示す説明図である。図１１において、エラー発生時間として、例えば２００４年９月２１日１０時３０分と表示され、エラーの発生日時が表示されている。エラーコードとしてＥ１が、エラー発生個所として、背ボトム用アクチュエータと表示されており、エラー箇所は背ボトム用アクチュエータであり、そのエラーコードはＥ１であることが表示されている。また、操作入力装置の操作状況として背ボトム下と、エラー発生状況として動作中と表示されていることから、背ボトム部分を下げる操作中にエラーが発生したことが分かる。エラー個所の動作時間として１時間３０分と表示されていることから、背ボトム用アクチュエータの累積動作時間が１時間３０分であることが分かる。
【００８１】
更に、図１２は、通電時間/動作時間表示画面を示す説明図である。図１２において、お客様通電時間、コントロールボックス、背ボトム用アクチュエータ、膝ボトム用アクチュエータ、高さ用アクチュエータの動作時間の表示部が夫々表示されている。
【００８２】
操作入力装置１６ｃの記憶情報の表示画面は操作履歴情報を分析し、加工し、グラフ表示し、又はアニメーション表示することができる。図１３乃至図１５は表示画面の１例を示す図である。即ち、図１０等に示した数値表示情報をグラフ表示することによって各動作部位の時系列変化を表示することができる。図１３は、図１０の数値表示をグラフ表示として表示した表示画面を示す図である。図１３において、図１０の数値表示がグラフに表示されている。これによって、例えば、夜何時から朝何時まではどのようなベッド姿勢を取っていたかが一目で、容易に把握することができる。なお、操作性を考慮して、１日ごとの表示やＰＣのマウスのドラッグ操作により任意にグラフを拡大表示することもできる。
【００８３】
また、数値表示情報に基づいて統計表示することにより、各操作ボタンの使用回数、時間別、例えば３時間間隔での各操作ボタンの使用回数、１日の平均使用回数、１度の平均操作量等を算出して表示することができる。図１４は、数値表示を統計表示として表示した表示画面を示す図である。このように統計表示することにより、ベッド利用者の操作傾向を容易に把握することができる。
【００８４】
更に、数値表示情報に基づいてベッドをアニメーションとして表示したベッド画像のアニメーション表示とすることができる。図１５は、操作履歴情報をアニメーションとして表示したものである。このとき操作ボタンも併せて表示することができる。図１５において、ベッドの姿勢情報が図案化して示されている。これによって、ベッド利用者がどのように操作したのか、どのような姿勢で過ごしていたのかがより具体的に把握できる。また、操作性を考慮して動作速度の切り替えや１日ごとの切り替え、時間の選択を行うこともできる。
【００８５】
本実施形態における動作制御装置１７ｃは、第１実施形態における動作制御装置１７ａにおけるシリアルＩ/Ｏ、パラレルＩ/Ｏ、シリアル/パラレル信号入力２、外部インターフェース２１及び半導体記憶素子２２ｃを省略したものであり、その他の部分は同様の構成であり、同様に作用するので、説明を省略する。
【００８６】
また本実施形態における動作設定情報書き込み時の操作入力装置１６ｃ内のＭＰＵ１９ｃの動作は、上記第１実施形態におけるＭＰＵ２０ａの動作と同様であり、図３の処理フローに基づいて実施形態１におけるＭＰＵ２０ａと同様に動作する。
【００８７】
このような構成の本実施形態に係る電動ベッドの動作制御装置は操作入力装置１６ｃからの入力信号に基づいて第１実施形態又は第２実施形態に準じて同様に動作する。
【００８８】
本実施形態によれば、半導体記憶素子２２ｃを操作入力装置１６ｃに設けたので、動作履歴情報、メンテナンス情報及び動作設定情報の記憶装置を有しない電動ベッドに対し、操作入力装置１６ｃの付け替えのみで、容易に記憶装置を付加することができ、電動ベッド有効利用範囲が拡大する。
【００８９】
本実施形態によれば、操作入力装置１６ｃにデータ表示装置としての表示画面を設けたことにより、必要に応じて容易に電動ベッドの動作履歴を知ることができる。また、プリンタ等の外部機器を設ける必要がなくなる。なお、半導体記憶素子２２ｃに記憶できる動作履歴の量は、記憶素子２２の記憶容量に依存する。
【００９０】
通常操作入力装置は、ベッド利用者又は介護者が操作しやすい位置に置かれるので、本実施形態によれば、履歴情報を受信する際の外部機器との接続が容易になる。また外部機器との接続の際に、ベッドの下に潜り込む必要がないので、安全性が向上する。
【００９１】
本実施形態によれば、操作入力装置１６ｃに動作パターン設定ボタンを設けたことにより、何度も異なる操作が必要であった従来技術に比べ、専用のボタンで一連の操作が可能となるので、操作性が向上する。
【００９２】
上記実施形態において、背ボトムとベッド高さの組み合わせを操作する場合について説明したが、本発明はこれに限定されるものではなく、背ボトム操作、ベッド高さ操作に膝ボトム操作を組み合わせて操作することができる。また、複数ボタンの同時押しも可能である。
【００９３】
本発明において、記憶装置に記憶されたデータの表示画面を操作入力装置１６ｃではなく外部インターフェース２１によって接続された外部機器１８としてのパーソナルコンピュータ等に独立した装置として設けることもできる。
【産業上の利用可能性】
【００９４】
本発明は、操作入力装置又は外部機器からベッドの動作情報を設定することができ、操作履歴情報、メンテナンス情報等の記憶装置における記憶データを操作入力装置又は外部機器に取り出すことができる電動ベッドの動作制御装置である。従って、ベッド利用者の意志に関わらず、介護者等が動作設定情報を設定することができるとともに、動作履歴情報の管理及びその利用を促進することができ、病院、介護施設等の各種ベッド利用機関において特に有用である。
【図面の簡単な説明】
【００９５】
【図１】本発明の第１実施形態における各機器の接続状態を示す図である。
【図２】本発明の第１実施形態におけるベッドコントローラのブロック図である。
【図３】本発明の第２実施形態におけるＭＰＵの処理フローを示す図である。
【図４】本発明の第２実施形態おける各機器の接続状態を示す図である。
【図５】本発明の第２実施形態における操作入力装置内及び動作制御装置内のＭＰＵの処理フローを示す図である。
【図６】本発明の第３実施形態おける各機器の接続状態を示す図である。
【図７】本発明の第３実施形態における操作入力装置の説明図である。
【図８】本発明の第３実施形態における操作入力装置による表示方法を示す図である。
【図９】本発明の第３実施形態における動作パターン設定方法を示す図である。
【図１０】本発明の第３実施形態における操作履歴表示画面の１例を示す図である。
【図１１】本発明の第３実施形態におけるエラー履歴表示画面の１例を示す図である。
【図１２】本発明の第３実施形態における通電時間／動作時間表示画面に１例を示す図である。
【図１３】本発明の第３実施形態におけるグラフ表示画面の１例を示す図である。
【図１４】本発明の第３実施形態における統計表示画面の１例を示す図である。
【図１５】本発明の第３実施形態におけるアニメーション表示画面の１例を示す図である。
【符号の説明】
【００９６】
２：シリアル／パラレル信号入出力端子
５：電源
６、７：チョッパ部
８、９：電流検出部
１０、１１：リレー部
１２、１３：駆動部
１４、１５：位置センサ
１６ａ、１６ｂ、１６ｃ：操作入力装置
１７ａ、１７ｂ、１７ｃ：動作制御装置
１８：外部機器
２０ａ、２０ｃ：ＭＰＵ
２１：外部インターフェース
２２ａ、２２ｃ：不揮発性半導体記憶素子
３０：情報表示画面
３１：背ボトム上げボタン
３２：背ボトム下げボタン
３３：ベッド高さ上げボタン
３４：ベッド高さ下げボタン
３５：メモリ上げボタン
３６：メモリ下げボタン
３７：表示切り替えボタン
３８：メモリボタン
【図１】
2006129953.tif 000003
【図２】
2006129953.tif 000004
【図３】
2006129953.tif 000005
【図４】
2006129953.tif 000006
【図５】
2006129953.tif 000007
【図６】
2006129953.tif 000008
【図７】
2006129953.tif 000009
【図８】
2006129953.tif 000010
【図９】
2006129953.tif 000011
【図１０】
2006129953.tif 000012
【図１１】
2006129953.tif 000013
【図１２】
2006129953.tif 000014
【図１３】
2006129953.tif 000015
【図１４】
2006129953.tif 000016
【図１５】
2006129953.tif 000017